(57)【要約】【課題】  本発明は、凸版印刷画線内に微小マージナルゾーン領域を有する少なくとも一つのマイクロ文字を形成することによって、複写機及びＰＣ関連機器による特殊な書体である微小文字、マージナルゾーンの再現を防止することができる偽造防止印刷物を提供する。【解決手段】  本発明は、基材上に、第一のマージナルゾーンを備えた番号、文字及び／又は記号の形状を成す、第一の印刷画線を複数配列して形成した印刷画線群を有し、印刷画線群は、第一の印刷画線内に、第二のマージナルゾーンを備えた情報を成す第二の印刷画線を備えた第一の印刷画線を有することを特徴とする偽造防止印刷物である。【選択図】  図１
2016203522.tif 000002
【特許請求の範囲】
【請求項１】
基材上に、第一のマージナルゾーンを備えた番号、文字及び／又は記号の形状を成す、第一の印刷画線を複数配列して形成した印刷画線群を有し、
前記印刷画線群は、前記第一の印刷画線内に、第二のマージナルゾーンを備えた情報を成す第二の印刷画線を備えた前記第一の印刷画線を有することを特徴とする偽造防止印刷物。
【請求項２】
前記第一の印刷画線と前記第二の印刷画線は、番号機の字輪によって形成されたことを特徴とする請求項１記載の偽造防止印刷物。
【発明の詳細な説明】
【技術分野】
【０００１】
本発明は、偽造防止効果を必要とするセキュリティ印刷物である銀行券、パスポ−ト、有価証券、身分証明書、カ−ド、通行券等の貴重印刷物の分野において、複写機又はＰＣ関連機器による複写又は再現が困難な凸版印刷物に関するものである。
【背景技術】
【０００２】
銀行券、株券、債券等の有価証券、各種証明書及び重要書類等の貴重印刷物において、偽造、変造防止策は重要な要素である。したがって、貴重印刷物の印刷面は、極めて細密な画線によって図柄を構成している。
【０００３】
これら印刷物の偽造、変造防止策の中で古くから用いられてきた方法として、微小文字と称する文字角が１ミリ以下の文字の集合模様を印刷物に施す方法がある。
【０００４】
その一例として、特殊な書体を使用した微小文字により集合模様を施し、偽造防止を行なう技術が開示されている（例えば、特許文献１参照）。
【０００５】
また、集合模様内の画線部分に、更に画線深さを変えてポジ又はネガに相当する微小文字を組み込むことを特徴とする彫刻凹版印刷物が開示されている（例えば、特許文献２参照）。
【先行技術文献】
【特許文献】
【０００６】
【特許文献１】登録実用新案公報第３０３０５３４号
【特許文献２】特許第２９６９１６８号
【発明の概要】
【発明が解決しようとする課題】
【０００７】
しかしながら、特許文献１及び特許文献２の技術は、複写防止に対して有用な技術であるが、近年における複写機の解像度の発達、ＰＣ関連機器の発達により、特殊な書体である微小文字、マージナルゾーンも再現されるおそれが生じてきた。
【０００８】
本発明は、前述した課題の解決を目的とするものであり、凸版印刷画線内に微小マージナルゾーン領域を有する少なくとも一つのマイクロ文字を形成することによって、複写機及びＰＣ関連機器による特殊な書体である微小文字、マージナルゾーンの再現を防止することができる偽造防止印刷物を提供する。
【課題を解決するための手段】
【０００９】
本発明は、基材上に、第一のマージナルゾーンを備えた番号、文字及び／又は記号の形状を成す、第一の印刷画線を複数配列して形成した印刷画線群を有し、
前記印刷画線群は、前記第一の印刷画線内に、第二のマージナルゾーンを備えた情報を成す第二の印刷画線を備えた前記第一の印刷画線を有することを特徴とする偽造防止印刷物である。
【００１０】
本発明は、第一の印刷画線と第二の印刷画線は、番号機の字輪によって形成されたことを特徴とする偽造防止印刷物である。
【発明の効果】
【００１１】
本発明の偽造防止印刷物は、ＰＣ関連機器又は複写機を使用した場合であっても、番号、文字及び／又は記号の形状を成す凸版印刷画線内に形成した、微細なマージナルゾーンを有する番号、文字及び／又は記号の形状を成すマイクロ文字はＰＣ関連機器による再現及び複写機による複写が不可能であることから、偽造防止効果に優れる。
【図面の簡単な説明】
【００１２】
【図１】本発明の偽造防止印刷物を示す一例図。
【図２】第一の印刷画線と第二の印刷画線を示す一例図。
【図３】第一の印刷画線示す一例図。
【図４】第二の印刷画線を示す一例図。
【図５】凸版版面を示す一例図。
【図６】凸版版面を示す一例図。
【図７】本発明の原理を示す一例図。
【図８】本発明の原理を示す一例図。
【図９】本発明の原理を示す一例図。
【発明を実施するための形態】
【００１３】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１４】
図１に、実施の形態における偽造防止印刷物（１）を示す。本実施の形態は、印刷画線群（３）を凸版印刷により第一の印刷画線（３ａ）を番号で形成した一例である。印刷画線群（３）は、番号、文字及び／又は記号の形状を成す第一の印刷画線（３ａ）を複数配列して成る。図１（ａ）は、偽造防止印刷物（１）の正面図であり、偽造防止印刷物（１）は、基材（２）の上に、番号の形状を成す第一の印刷画線（３ａ）を複数配列した印刷画線群（３）が形成されて成る。図１（ｂ）は、偽造防止印刷物（１）の印刷画線群（３）を形成する第一の印刷画線（３ａ）の一部拡大図である。第一の印刷画線（３ａ）は、画線内に第二の印刷画線（４）を有する。
【００１５】
第一の印刷画線（３ａ）は、凸版印刷で形成されていればよく、数字のみならず、文字及び／又は記号の形状であればよい。第一の印刷画線（３ａ）の色彩は、基材（２）と異なる色彩である。基材（２）は、印刷画線群（３）が形成できれば、紙であってもプラスティックであっても、金属等であってもよく、その材質は問わない。また、本実施の形態では、第一の印刷画線（３ａ）を複数配列して印刷画線群（３）を形成しているが、第一の印刷画線（３ａ）による番号、文字及び／又は記号と公知の凸版印刷による番号、文字及び／又は記号を組み合わせて形成してもよい。
【００１６】
図２に、第一の印刷画線（３ａ）と第二の印刷画線（４）を示す。図２（ａ）は、第一の印刷画線（３ａ）の一部拡大図であり、図２（ｂ）は、第一の印刷画線（３ａ）のＡ−Ａ´ラインにおける断面図である。図２（ａ）に示すように、第一の印刷画線（３ａ）は、凸版印刷により形成されているため、画線周囲に第一の印刷画線（３ａ）より濃色、かつ、同一色相の第一のマージナルゾーン（３ｂ）を有する。
【００１７】
一例として、第一の印刷画線（３ａ）内に形成されたマイクロ文字から成る第二の印刷画線（４）である。一例としてマイクロ文字としているが、本発明はこれに限定されることなく、番号、文字、記号及び／又は模様等が挙げられる。第二の印刷画線（４）は、第一の印刷画線（３ａ）と同一色相、かつ、淡色又は白抜けである。図２（ｂ）の断面図に示すように、第一の印刷画線（３ａ）は、画線周囲に第一のマージナルゾーン（３ｂ）を有する。第二の印刷画線（４）も、画線周囲に第一のマージナルゾーン（３ｂ）と等色の第二のマージナルゾーン（４ａ）を有する。なお、第二のマージナルゾーン（４ａ）が形成される理由については、後述する。
【００１８】
図３により、第一の印刷画線（３ａ）について説明する。図３（ａ）に示すように、第一の印刷画線（３ａ）の幅（Ｗ１）又は高さ（ｈ１）は、０．０１ｍｍ〜１ｍｍの範囲であり、より好ましいのは、０．１ｍｍ〜０．５ｍｍの範囲である。幅（Ｗ１）又は高さ（ｈ１）が１ｍｍを超えると模倣されやすくなる。幅（Ｗ１）又は高さ（ｈ１）が０．０１ｍｍより小さくなると、後述する第二の印刷画線（４）の形成が困難となる。
【００１９】
第一の印刷画線（３ａ）の書体は、一般的に使用されている公知の書体、具体的には、図３（ｂ）から図３（ｅ）に示すように、明朝体、ゴシック体、行書体、楷書体等、あるいは、一般的に使用されない独自の書体を使用してもよいが、第二の印刷画線（４）を形成する容易性を考慮した場合は、ゴシック体であることが望ましい。ゴシック体は、明朝体、行書体又は楷書体と比べて字幅が広く、第二の印刷画線（４）の形成が容易だからである。
【００２０】
図４により、マイクロ文字の形状を成す第二の印刷画線（４）について説明する。図４（ａ）に示すように、第二の印刷画線（４）の色彩は、第一の印刷画線（３ａ）を形成するインキと同一であるため、第一の印刷画線（３ａ）と同一色相、かつ、淡色、又は、インキが付与されないことによる白抜けである。マイクロ文字である第二の印刷画線（４）の幅（Ｗ２）又は高さ（ｈ２）は、前述した第一の印刷画線（３ａ）の幅（Ｗ１）及び高さ（ｈ１）の範囲内において、適宜設定される。具体的には、０．００９ｍｍ〜０．９ｍｍの範囲である。０．００９ｍｍ未満の場合は、拡大鏡による第二の印刷画線（４）の識別が困難となる。０．９ｍｍを超えた場合は、前述した第一の印刷画線（３ａ）の印刷適性に悪影響を及ぼす。
【００２１】
第二の印刷画線（４）の書体は、前述した第一の印刷画線（３ａ）の書体と同一又は異なる書体でもよい。使用する書体も、前述した第一の印刷画線（３ａ）の書体と同様に、図４（ｂ）から図４（ｅ）に示すように、一般的に使用されている公知の書体である明朝体、ゴシック体、行書体、楷書体等、あるいは、一般的に使用されない独自の書体を使用してもよいが、形成の容易性を考慮した場合は、ゴシック体であることが望ましい。ゴシック体は、明朝体、行書体又は楷書体と比べて幅（Ｗ２）が広く、第二のマージナルゾーン（４ａ）の形成が容易である。
【００２２】
第二のマージナルゾーン（４ａ）の色彩は、第一の印刷画線（３ａ）を形成するインキと同一であり、第二の印刷画線（４）が凸版印刷により形成されているため、第一のマージナルゾーン（３ｂ）と等色、かつ、第二の印刷画線（４）より濃色となる。
【００２３】
本発明の偽造防止印刷物は、第一の印刷画線（３ａ）内に形成された第二の印刷画線（４）の輪郭に生じた第二のマージナルゾーン（４ａ）が微細であり、第一のマージナルゾーン（３ｂ）と第二のマージナルゾーン（４ａ）の間隔も微細である。さらに、第一の印刷画線（３ａ）の色彩は、双方のマージナルゾーン（３ｂ、４ａ）より淡色であるため、ＰＣ関連機器による再現が不能である。
【００２４】
複写機により複写した場合は、第二の印刷画線（４）と、第一のマージナルゾーン（３ｂ）及び第二のマージナルゾーン（４ａ）は微細であり、複写機の解像力から、再生不能、又は再生不良となる。
【００２５】
次に、第一の印刷画線（３ａ）と第二の印刷画線（４）を作製する凸版版面と、本発明の原理について説明する。
【００２６】
図５は、本発明の印刷画線を形成する番号器に用いられる字輪の一例であり、図５（ａ）は字輪（５）の側面図であり、図５（ｂ）は、字輪（５）の斜視図である。図５（ｂ）に示すように、字輪（５）は、活字である第一の印刷画線（３ａ）を形成する凸版（６）を有している。なお、図５に記載されていないが、第二の印刷画線（４）を形成する凸版（６）に形成された凹部については後述する。
【００２７】
図６は、字輪（５）の活字である凸版（６）の一部を示す拡大図である。図６（ａ）に示すように、字輪（５）の活字である凸版（６）は、活字である凹部（６ｂ）を有している。図６（ｂ）のＡ−Ａ´断面図に示すように、凸版（６）は、凸部（６ａ）と、凸部（６ａ）に形成された第二の印刷画線（４）を形成する凹部（６ｂ）から成る。凹部（６ｂ）の深さは、凸部（６ａ）の高さにもよるが、０．１ｍｍ以上の範囲で適宜設定される。０．１ｍｍ未満の場合は、後述する第二のマージナルゾーン（４ａ）の形成が困難となる。凹部（６ｂ）は、レーザにより形成される。
【００２８】
図７は、前述の字輪（５）を使用して、印刷を行なう一例を示すものである。図７に示すように、凸版（６）にインキ（７）を着肉した場合は、凹部（６ｂ）が微細であるためインキ（７）が着肉されず、凸部（６ａ）にのみインキが着肉される。
【００２９】
図８（ａ）に示すように、凸版（６）の凸部（６ａ）に供給されたインキ（７）は、凸版（６）の印圧（Ｓ１）により基材（２）に転写される。図８（ｂ）に示すように、インキ（７）は、基材（２）へ転写されて第一の印刷画線（３ａ）を形成する際、凸版（６）の印圧（Ｓ１）によりインキ（７）がつぶされて凸部（６ａ）と基材（２）との隙間部から外方へ押し出されるため、凸部（６ａ）の端部に第一のインキだまり（７ａ）が生じることにより第一のマージナルゾーン（３ｂ）が形成される。
【００３０】
凹部（６ｂ）も同様に、凸版（６）の印圧（Ｓ１）によりインキ（７）がつぶされて凹部（６ｂ）と基材（２）との隙間部から、凹部（６ｂ）内へ押し出されるため、凹部（６ｂ）の端部に第二のインキだまり（７ｂ）が生じることにより、第二のマージナル（４ａ）が形成される。
【００３１】
よって、図９（ａ）に示すように、インキ（７）により凸版印刷された第一の印刷画線（３ａ）は、第一の印刷画線（３ａ）周囲に、凸部（６ａ）の端部に生じた第一のインキだまり（７ａ）により形成された第一のマージナルゾーン（３ｂ）を有する。第一の印刷画線（３ａ）内に形成された第二の印刷画線（４）は、凹部（６ｂ）の端部に生じた第二のインキだまり（７ｂ）により形成された第二のマージナルゾーン（４ａ）を有する。
【００３２】
本形態では、第一の印刷画線（３ａ）と第二の印刷画線（４）が同一のインキで形成されることとなるためと同一色相、かつ、淡色となるが、第二の印刷画線（４）を形成する凸版（６）の凹部（６ｂ）の深さを適宜設定することによって、図９（ｂ）に示すように第二の印刷画線（４）を白抜けの画線として形成し、白抜けの画線である第二の印刷画線（４）の画線周囲に第二のマージナルゾーン（４ａ）を形成することもできる。白抜けの形成する手法としては、凹部（６ｂ）に撥水あるいは撥油処理を行なうことにより、インキが凹部（６ｂ）に入らないようにしてもよい。
【００３３】
よって、本発明は、第一の印刷画線（３ａ）と第二の印刷画線（４）を形成する凸版（６）の凸部（６ａ）に凹部（６ｂ）を設けることで、凹版印刷の原理と同様に、凹部（６ｂ）にインキが入り込まないことによる凹状の白抜きから成る第二の印刷画線（４）、又は、凹部（６ｂ）にインキが入り込むことにより形成される第一の印刷画線（３ａ）と同一色相、かつ、淡色から成る第二の印刷画線（４）が生じ、基材（２）に転写後は、凸版（６）により形成された凸版画線である第一の印刷画線（３ａ）と第二の印刷画線（４）の輪郭が、それぞれ第一のマージナルゾーン（３ｂ）と第二のマージナルゾーン（４ａ）により盛り上がることにより濃色となる原理を利用したものである。なお、本形態では、第一のマージナルゾーン（３ｂ）と第二のマージナルゾーン（４ａ）の双方が形成されるが、図９（ｃ）に示すように、第一の印刷画線（３ａ）を形成する凸版（６）の凸部（６ａ）の形状を適宜設定することによって、第一のマージナルゾーン（３ｂ）を形成せず、第二のマージナルゾーン（４ａ）のみを形成することもできる。
【符号の説明】
【００３４】
１          偽造防止印刷物
２          基材
３          印刷画線群  
４          第二の印刷画線  
５          字輪
６          凸版
７          インキ                        
【図１】
2016203522.tif 000003
【図２】
2016203522.tif 000004
【図３】
2016203522.tif 000005
【図４】
2016203522.tif 000006
【図５】
2016203522.tif 000007
【図６】
2016203522.tif 000008
【図７】
2016203522.tif 000009
【図８】
2016203522.tif 000010
【図９】
2016203522.tif 000011